【手続補正書】
【提出日】平成17年11月21日(2005.11.21)
【手続補正１】
【補正対象書類名】明細書
【補正対象項目名】発明の名称
【補正方法】変更
【補正の内容】
【発明の名称】ネットワークスキャニングシステム、スキャナ制御装置及びその制御方法、及び、コンピュータプログラム
【手続補正２】
【補正対象書類名】明細書
【補正対象項目名】特許請求の範囲
【補正方法】変更
【補正の内容】
【特許請求の範囲】
【請求項１】
汎用情報処理装置に接続するタイプのスキャナ装置をネットワークスキャナ装置として機能させるため、前記スキャナ装置と接続するスキャナインタフェース及びネットワークインタフェースを有する接続装置、及び、当該接続装置をネットワークを介して制御する制御装置で構成されるネットワークスキャニングシステムであって、
前記接続装置は、
前記制御装置からの指示コマンドを前記ネットワークインタフェースを介して受信し、前記スキャナインタフェースに対し実行するコマンド実行手段と、
該コマンド実行手段による実行の結果、前記スキャナインタフェースから受信したデータを、前記ネットワークインタフェースを介して前記制御装置に出力する出力手段とを備え、
前記制御装置は、
当該制御装置で動作する、前記スキャナ装置用のスキャナドライバであって前記汎用情報処理装置に前記スキャナ装置を接続した場合に用いられるスキャナドライバからの要求コマンドを前記接続装置に出力すると共に、前記接続装置からの情報を受信し、前記スキャナドライバへ出力することで、前記接続装置を前記制御装置に仮想的に接続されたスキャナ装置として機能させる仮想スキャナ通信手段とを備える
ことを特徴とするネットワークスキャニングシステム。
【請求項２】
汎用情報処理装置に接続するタイプのスキャナ装置をネットワークへ接続するためのスキャナ接続装置であって、
ネットワークインタフェースと、
前記スキャナ装置を接続するスキャナインタフェースと、
前記ネットワーク上の所定の制御装置からの指示コマンドであって前記汎用情報処理装置に前記スキャナ装置を接続した場合に用いられるスキャナドライバからのコマンドを含む指示コマンドを前記ネットワークインタフェースを介して受信し、前記スキャナインタフェースに対し実行するコマンド実行手段と、
該コマンド実行手段による実行の結果、前記スキャナインタフェースから受信したデータを、前記ネットワークインタフェースを介して前記制御装置に出力する出力手段と
を備えることを特徴とするスキャナ制御装置。
【請求項３】
汎用情報処理装置に接続するタイプのスキャナ装置を接続するためのスキャナインタフェースと、ネットワークへ接続するためのネットワークインタフェースとを有するスキャナ接続装置の制御方法であって、
前記ネットワーク上の所定の制御装置からの指示コマンドであって前記汎用情報処理装置に前記スキャナ装置を接続した場合に用いられるスキャナドライバからのコマンドを含む指示コマンドを前記ネットワークインタフェースを介して受信し、前記スキャナインタフェースに対し実行するコマンド実行工程と、
該コマンド実行工程による実行の結果、前記スキャナインタフェースから受信したデータを、前記ネットワークインタフェースを介して前記制御装置に出力する出力工程と
を備えることを特徴とするスキャナ制御装置の制御方法。
【請求項４】
ネットワークインタフェースと、汎用情報処理装置に接続するタイプのスキャナ装置を接続するスキャナインタフェースと、前記ネットワークインタフェースを介して受信した要求に応じて、前記スキャナインタフェースに接続されるスキャナ装置で読取った画像データをネットワークに出力するスキャナ接続手段とを備える接続装置を前記ネットワークから遠隔制御するスキャナ制御装置であって、
前記スキャナ装置用のスキャナドライバからの要求コマンドであって前記汎用情報処理装置に前記スキャナ装置を接続した場合に用いられるスキャナドライバからのコマンドを含む要求コマンドを前記接続装置が有する前記スキャナ通信手段へ向けて送信する送信手段と、
前記スキャナ通信手段からの情報を受信し、前記スキャナドライバへ出力する受信手段とを備え、
前記送信手段及び受信手段により、前記接続装置に接続されたスキャナ装置を、前記制御装置に仮想的に接続されたスキャナ装置として機能させることを特徴とするスキャナ制御装置。
【請求項５】
ネットワークインタフェースと、汎用情報処理装置に接続するタイプのスキャナ装置を接続するスキャナインタフェースと、前記ネットワークインタフェースを介して受信した要求に応じて、前記スキャナインタフェースに接続されるスキャナ装置で読取った画像データをネットワークに出力するスキャナ接続手段とを備える接続装置を前記ネットワークから遠隔制御するスキャナ制御装置の制御方法であって、
前記スキャナ装置用のスキャナドライバからの要求コマンドであって前記汎用情報処理装置に前記スキャナ装置を接続した場合に用いられるスキャナドライバからのコマンドを含む要求コマンドを前記接続装置が有する前記スキャナ通信手段へ向けて送信する送信工程と、
前記スキャナ通信手段からの情報を受信し、前記スキャナドライバへ出力する受信工程とを備え、
前記送信工程及び受信工程により、前記接続装置に接続されたスキャナ装置を、前記制御装置に仮想的に接続されたスキャナ装置として機能させることを特徴とするスキャナ制御装置の制御方法。
【請求項６】
ネットワークインタフェースと、汎用情報処理装置に接続するタイプのスキャナ装置を接続するスキャナインタフェースと、前記ネットワークインタフェースを介して受信した要求に応じて、前記スキャナインタフェースに接続されるスキャナ装置で読取った画像データをネットワークに出力するスキャナ接続手段とを備える接続装置を前記ネットワークから遠隔制御するスキャナ制御装置として機能させるコンピュータプログラムであって、
前記スキャナ装置用のスキャナドライバからの要求コマンドであって前記汎用情報処理装置に前記スキャナ装置を接続した場合に用いられるスキャナドライバからのコマンドを含む要求コマンドを前記接続装置が有する前記スキャナ通信手段へ向けて送信する送信手段と、
前記スキャナ通信手段からの情報を受信し、前記スキャナドライバへ出力する受信手段として機能し、
前記送信手段及び受信手段により、前記接続装置に接続されたスキャナ装置を、前記制御装置に仮想的に接続されたスキャナ装置として機能させることを特徴とするコンピュータプログラム。
【請求項７】
前記送信手段及び受信手段は、デバイスドライバプログラムであることを特徴とする請求項６に記載のコンピュータプログラム。
【手続補正３】
【補正対象書類名】明細書
【補正対象項目名】０００９
【補正方法】変更
【補正の内容】
【０００９】
【課題を解決するための手段】
この課題を解決するため、例えば本発明のネットワークスキャニングシステムは以下の構成を備える。すなわち、
汎用情報処理装置に接続するタイプのスキャナ装置をネットワークスキャナ装置として機能させるため、前記スキャナ装置と接続するスキャナインタフェース及びネットワークインタフェースを有する接続装置、及び、当該接続装置をネットワークを介して制御する制御装置で構成されるネットワークスキャニングシステムであって、
前記接続装置は、
前記制御装置からの指示コマンドを前記ネットワークインタフェースを介して受信し、前記スキャナインタフェースに対し実行するコマンド実行手段と、
該コマンド実行手段による実行の結果、前記スキャナインタフェースから受信したデータを、前記ネットワークインタフェースを介して前記制御装置に出力する出力手段とを備え、
前記制御装置は、
当該制御装置で動作する、前記スキャナ装置用のスキャナドライバであって前記汎用情報処理装置に前記スキャナ装置を接続した場合に用いられるスキャナドライバからの要求コマンドを前記接続装置に出力すると共に、前記接続装置からの情報を受信し、前記スキャナドライバへ出力することで、前記接続装置を前記制御装置に仮想的に接続されたスキャナ装置として機能させる仮想スキャナ通信手段とを備える。